(57)【特許請求の範囲】
【請求項１】
本体の内部に加熱コイルと前記加熱コイルに高周波電流を供給する制御回路と、前記加熱コイルの中心の位置を示す表示手段である前記加熱コイルを使用者の手動で移動させるためのスライドレバーとを備え、前記スライドレバーと連動し前記加熱コイルを横方向に移動可能とした誘導加熱調理器。
【発明の詳細な説明】
【０００１】
【発明の属する技術分野】
本発明は、一般家庭用の誘導加熱調理器に関するものである。
【０００２】
【従来の技術】
従来の誘導加熱調理器の構成を、図４に示す。
【０００３】
図４に示すように、本体２２天面に被加熱物の調理プレート２３を据え置くための天板２５と、前記本体２２は前記被加熱物の調理プレート２３を電磁誘導によって加熱するための加熱コイル２４と、前記加熱コイル２４中央には入力検知を行うためのサーミスタ２６が設置してあり、前記サーミスタ２６による検知および前記電磁誘導を行うための制御回路２７で構成されているものである。
【０００４】
この構成によれば、図４に示すように固定状態の加熱コイル２４を本体中央部に置いて加熱を行い、調理面全体が加熱領域となっているのが一般的である。
【０００５】
【発明が解決しようとする課題】
しかしながら、上記のように固定された加熱コイルを本体中央部分に設置して構成された誘導加熱調理器において焼き肉等の調理を行った際、一方では調理物が焦げやすい状況にあるという、熱効率の高い誘導加熱調理器独自の問題があった。
【０００６】
本発明は、上記の課題を解決するもので、本体内部において、本体横方向に移動可能な加熱コイルによって熱源を移動させることにより、被加熱物である調理プレート上で、調理プレートを移動することなく加熱領域と保温領域を移動して効率的に調理することができることを目的とするものである。
【０００７】
【課題を解決するための手段】
この課題を解決するために、本発明の誘導加熱調理器は、本体内部に加熱コイルと前記加熱コイルに高周波電流を供給する制御回路と、前記加熱コイルの中心の位置を示す表示手段である前記加熱コイルを使用者の手動で移動させるためのスライドレバーを備え、前記スライドレバーと連動し前記加熱コイルを横方向に移動可能としたものである。この構成により、加熱コイルより大なる底面を有するプレートなどの被加熱物で調理を行う場合において、調理物が焼き上がった際、加熱コイルを横方向に移動することにより熱源を移動させることができる。また、加熱コイルの外側は保温領域として調理に利用できることから、調理物を加熱領域から保温領域に移動させる必要がなく、また調理プレートを移動することなく加熱領域と保温領域を移動することができるものである。
【０００８】
また、加熱コイルがトッププレートで覆われていても、使用者は加熱範囲を判別できるので、加熱領域及び保温領域を変更して調理する場合において使い勝手を向上させることができるという作用が得られる。
【０００９】
【発明の実施の形態】
本発明の請求項１に記載の発明は，本体内部に加熱コイルと前記加熱コイルに高周波電流を供給する制御回路と、前記加熱コイルの中心の位置を示す表示手段である前記加熱コイルを使用者の手動で移動させるためのスライドレバーを備え、前記スライドレバーと連動し前記加熱コイルを横方向に移動可能としたことにより、加熱コイルより底面が大なる被加熱物を加熱コイル上方に設置した場合には、被加熱物において加熱される範囲（加熱領域）、及びこの加熱領域の近傍で調理済みのものを保温する事のできる領域（保温領域）を持つことで調理プレートを移動することなく移動可能とすることができるという作用が得られる。
【００１０】
また、加熱コイルの位置を示す位置表示手段を備え、前記加熱コイルの位置を判別できるようにしたことにより、加熱コイルがトッププレートで覆われていても、使用者は加熱範囲を判別できるので、加熱領域及び保温領域を変更して調理する場合において使い勝手を向上させることができるという作用が得られる。
【００１１】
【実施例】
以下本発明の実施例について図面を参照して説明する。
【００１２】
（実施例１）
本発明の実施例１について、図１により説明する。
【００１３】
本実施例においては、図１に示すように、本体１の上部はトッププレート６で覆われており、本体１内部に、加熱コイル２と加熱コイル２に高周波電流を供給する制御回路３が収納されている。本体１手前の上面には操作部分に操作パネル４を設けている。加熱コイル２は横方向に移動可能とし、加熱コイル２を移動させるためのスライドレバー（位置表示手段）５と加熱コイル２を保持する加熱コイル支持部材５−ａと一体に設け、トッププレート６上には、加熱コイル２より底面が大なるプレート状で鉄製の被加熱物７を載置する。加熱コイル２の高周波電流は、制御回路３によって供給する。スライドレバー５は本体１の前面の壁面及び後面に設けられたスリットを貫通して移動可能に保持される。
【００１４】
この構成において、スライドレバー５を横方向に動かすことで、加熱コイル２が横方向へ連動し、被加熱物７の調理面において、加熱コイル２から発生する磁界により強く加熱される範囲（加熱領域８）と、この加熱領域８の近傍で加熱領域８ほど高温に至らず調理済みのものを保温するのに適した範囲（保温領域９）を移動可能とすることができる。
【００１５】
従って、野菜など調理物の調理が食べごろになれば、使用者はスライドレバー５を移動させて未調理状態の食べ物のある方向に加熱領域８を移動し、保温領域９を調理済みの調理物の方向に移動して調理を継続することができるので団らん調理をするときに使い勝手を良くすることができるものである。
【００１６】
また、加熱コイル２はトッププレート６や被加熱物７で覆われて見えないが、スライドレバー５の位置により、加熱コイル２の中心の位置がわかるので、使用者は加熱領域８がどこにあるのかを判別することができるのでさらに使い勝手が良くなる。
【００１７】
（参考例１）
以下、本発明の参考例１について、図２により説明する。
【００１８】
本参考例においては、図２に示すように、加熱コイル１０の位置を判別する移動検知手段を備え、移動検知手段の検知結果に基づき、加熱コイル１０の位置または加熱領域１１に対応した表示をする表示手段１２を設け、加熱コイル１０には、加熱コイル１０を保持する加熱コイル支持部材１０−ａにトッププレート裏面の複数箇所の温度を測定する複数のサーミスタ１５を備え、温度検知手段の検知結果に基づいて、加熱コイル２の位置を判別する構成で、表示手段１２は温度の高い加熱領域１１と温度の低い保温領域１４がどの位置にあるかを表示してなる。
【００１９】
この構成により、加熱コイル１０を本体１３内に完全に収納した状態で移動しても、使用者は加熱領域１１及び保温領域１４の移動を確認することができる、或いは、使用者の見やすい位置等、任意の位置で加熱領域１１または保温領域１４の位置を確認することができる。
【００２０】
従って、インジケータ部１９の表示により、使用者は目視で加熱領域１１及び保温領域１４を識別することが可能となるので団らん調理などで、加熱領域１１と保温領域１４を移動させて調理をしながら食事を行う場合には使用性が更によくなるという効果が得られる。
【００２１】
また、複数箇所のサーミスタで温度を検知することから、加熱コイル１０を移動させても、これとともにサーミスタが移動し、移動した先の温度を複数のサーミスタで精度良く検出できる。そして加熱領域１１或いは保温領域１４をより確実に検知することが可能となり、インジケータ部１９によって、実調理可能な加熱範囲をより正確に表示することができる。
【００２２】
（参考例２）
以下、本発明の参考例２について、図３により説明する。
【００２３】
本参考例においては、特に、表示手段は、保温領域２０に対応する表示部分２１を、保温領域２０の温度が所定の温度に到達すると消灯から点灯に移行するか、点灯モードを変えるか、または表示色を変えることにより、保温領域２０が保温レベルに達したことを、使用者は視覚確認することができ、使用勝手が向上するという効果が得られる。
【００２４】
また、保温領域２０に対応する部分の温度が所定の温度に到達すると音または音声により報知することにより、領域が保温レベルに達したことを、報知音または音声にて使用者に知らせることができるため、表示部分２１を目視せずに確認することができる。
【００２５】
【発明の効果】
以上のように、請求項１に記載の発明によれば、加熱領域及び保温領域を移動させて使用することができるので、特に、団らん調理に適した使い勝手の良い誘導加熱調理器を提供することができる。
【００２６】
また、加熱コイルがトッププレートで覆われていても、使用者は加熱範囲を判別できるので、加熱領域及び保温領域を変更して調理する場合において使い勝手を向上させることができるという作用が得られる。
【図面の簡単な説明】
【図１】  本発明の実施例１における誘導加熱調理器の構成図
【図２】  本発明の参考例１における誘導加熱調理器の構成図
【図３】  本発明の参考例２における誘導加熱調理器の構成図
【図４】  従来の誘導加熱調理器の構成図
【符号の説明】
１        本体
２、１０  加熱コイル
６        トッププレート
７        被加熱物
８、１１  加熱領域
１２      表示手段
９、２０  保温領域
２１      表示部分
【図１】
0003888208.tif 000002
【図２】
0003888208.tif 000003
【図３】
0003888208.tif 000004
【図４】
0003888208.tif 000005